(57)【要約】【課題】たとえ狭い空間内においても、ビルトインタイプのガス器具を建屋側のガス配管に容易に接続することが可能なガス器具の接続部構造。【解決手段】ビルトインタイプのガス器具１が、ガス栓２を介して建屋Ｂ側のガス配管Ｐに接続されているガス器具の接続部構造で、ガス栓２とワンタッチ式カプラ３の一方３ａがガス配管Ｐ側に接続され、ワンタッチ式カプラ３の他方３ｂがガス器具１側に接続され、そのガス器具１側に接続された器具側カプラ３ｂとガス配管Ｐ側に接続された建屋側カプラ３ａとが接続されて、ガス器具１が建屋Ｂ側のガス配管Ｐに接続されている。【選択図】図１
2008045605.tif 000002
【特許請求の範囲】
【請求項１】
ビルトインタイプのガス器具が、ガス栓を介して建屋側のガス配管に接続されているガス器具の接続部構造であって、
前記ガス栓とワンタッチ式カプラの一方が前記ガス配管側に接続され、ワンタッチ式カプラの他方が前記ガス器具側に接続され、そのガス器具側に接続された器具側カプラとガス配管側に接続された建屋側カプラとが接続されて、前記ガス器具が建屋側のガス配管に接続されているガス器具の接続部構造。
【請求項２】
前記建屋側カプラと器具側カプラとの接続が解除された際に、前記ガス配管からのガスの流出を阻止する安全弁が前記建屋側カプラに設けられている請求項１に記載のガス器具の接続部構造。
【請求項３】
前記建屋側カプラと器具側カプラとの接続が解除された際に、前記ガス配管からのガスの流出を阻止する過流出防止弁が前記ガス栓に設けられている請求項１に記載のガス器具の接続部構造。
【請求項４】
前記建屋側カプラと器具側カプラとの接続を解除する解除操作部と、その解除操作部による解除操作を規制するストッパとが、前記ワンタッチ式カプラに設けられている請求項１〜３のいずれか１項に記載のガス器具の接続部構造。
【請求項５】
前記器具側カプラが前記ガス器具の背面に配置されている請求項１〜４のいずれか１項に記載のガス器具の接続部構造。
【発明の詳細な説明】
【技術分野】
【０００１】
本発明は、ビルトインタイプのガス器具が、ガス栓を介して建屋側のガス配管に接続されているガス器具の接続部構造に関する。
【背景技術】
【０００２】
ビルトインタイプのガス器具は、従来、ガス栓が一体的に組み込まれた専用のガスコックを介して建屋側のガス配管に接続されていた。
その専用のガスコックとしては、建屋側のガス配管であるフレキシブル管に接続される配管側接続部と、ガス器具側に接続される連結部材を有し、その連結部材がガス器具側の雄ねじ部に螺合する雌ねじ部を備え、かつ、雌ねじ部を回転操作するために、その外周にスパナなどの工具と係合可能な略六角形の工具掛け部を備えたものが知られている（例えば、特許文献１参照）。
【０００３】
【特許文献１】特許第２９０４３４２号公報
【発明の開示】
【発明が解決しようとする課題】
【０００４】
ところが、ビルトインタイプのガス器具を建屋側のガス配管に接続する場合、まず、ビルトイン用の台所用家具を設置し、さらに、台所用家具にガス器具を組み込んだ後、そのガス器具を建屋側のガス配管に接続することになり、そのため、ガス器具とガス配管との接続は、例えば、台所用家具の内部空間など、比較的狭い空間内で行うことになる。
その場合、上記特許文献に開示のガスコックを使用すると、例えば、ガス器具側の雄ねじ部と連結部材側の雌ねじ部を螺合させる際、連結部材外周の工具掛け部にスパナなどの工具を係合して回転操作する必要があり、それを狭い空間内で行わねばならないので、接続作業が非常に困難なものとなる欠点があった。
【０００５】
本発明は、このような従来の欠点に着目したもので、その目的は、たとえ狭い空間内においても、ビルトインタイプのガス器具を建屋側のガス配管に容易に接続することが可能なガス器具の接続部構造を提供することである。
【課題を解決するための手段】
【０００６】
本発明の第１の特徴構成は、ビルトインタイプのガス器具が、ガス栓を介して建屋側のガス配管に接続されているガス器具の接続部構造であって、前記ガス栓とワンタッチ式カプラの一方が前記ガス配管側に接続され、ワンタッチ式カプラの他方が前記ガス器具側に接続され、そのガス器具側に接続された器具側カプラとガス配管側に接続された建屋側カプラとが接続されて、前記ガス器具が建屋側のガス配管に接続されているところにある。
【０００７】
本発明の第１の特徴構成によれば、ガス栓とワンタッチ式カプラの一方がガス配管側に接続され、ワンタッチ式カプラの他方がビルトインタイプのガス器具側に接続され、そのガス器具側に接続された器具側カプラとガス配管側に接続された建屋側カプラとが接続されて、ガス器具が建屋側のガス配管に接続されているので、ビルトインタイプのガス器具と建屋側のガス配管とを接続する際、ワンタッチ式カプラを接続するだけで、つまり、器具側カプラと建屋側カプラとをワンタッチ接続するだけで済む。
したがって、たとえ台所用家具の内部空間のような狭い空間内においても、建屋側のガス配管に対してビルトインタイプのガス器具を容易、確実に接続することができる。
【０００８】
本発明の第２の特徴構成は、前記建屋側カプラと器具側カプラとの接続が解除された際に、前記ガス配管からのガスの流出を阻止する安全弁が前記建屋側カプラに設けられているところにある。
【０００９】
本発明の第２の特徴構成によれば、建屋側カプラと器具側カプラとの接続が解除された際に、ガス配管からのガスの流出を阻止する安全弁が建屋側カプラに設けられているので、例えば、何らかの理由によって、器具側カプラと建屋側カプラの接続が不測に解除されても、建屋側カプラに設けられた安全弁によりガス配管からのガスの流出は確実に阻止される。
【００１０】
本発明の第３の特徴構成は、前記建屋側カプラと器具側カプラとの接続が解除された際に、前記ガス配管からのガスの流出を阻止する過流出防止弁が前記ガス栓に設けられているところにある。
【００１１】
本発明の第３の特徴構成によれば、建屋側カプラと器具側カプラとの接続が解除された際に、ガス配管からのガスの流出を阻止する過流出防止弁がガス栓に設けられているので、この場合にも、何らかの理由によって、器具側カプラと建屋側カプラの接続が不測に解除されても、ガス栓に設けられた過流出防止弁によりガス配管からのガスの流出は確実に阻止される。
【００１２】
本発明の第４の特徴構成は、前記建屋側カプラと器具側カプラとの接続を解除する解除操作部と、その解除操作部による解除操作を規制するストッパとが、前記ワンタッチ式カプラに設けられているところにある。
【００１３】
本発明の第４の特徴構成によれば、建屋側カプラと器具側カプラとの接続を解除する解除操作部がワンタッチ式カプラに設けられているので、必要な場合には、解除操作部を操作して建屋側カプラと器具側カプラとの接続を解除することができる。
そして、その解除操作部による解除操作を規制するストッパもワンタッチ式カプラに設けられているので、必要な場合に建屋側カプラと器具側カプラとの接続を解除することができるにもかかわらず、解除操作部の解除操作を規制するストッパによって、建屋側カプラと器具側カプラとの接続が誤って不測に解除されることが防止される。
【００１４】
本発明の第５の特徴構成は、前記器具側カプラが前記ガス器具の背面に配置されているところにある。
【００１５】
本発明の第５の特徴構成によれば、器具側カプラがガス器具の背面に配置されているので、その器具側カプラおよび器具側カプラに接続される建屋側カプラなどをガス器具の背面に配置することができ、したがって、ガス器具の下方、つまり、ガス器具がビルトインされる台所用家具などの内部空間を自由に使用することができる。
【発明を実施するための最良の形態】
【００１６】
本発明によるガス器具の接続部構造の実施の形態を図面に基づいて説明する。
本発明が対象とするガス器具は、いわゆるビルトインタイプのガス器具で、図１に示すように、システムキッチンで使用される台所用家具Ｆなどに一体的に組み込まれて使用される。図示のガス器具１はガスコンロで、そのガスコンロ１が、建屋Ｂ側に配設されたガス配管Ｐにガス栓２とワンタッチ式カプラ３を介して接続されている。
ワンタッチ式カプラ３は、図２の（ａ）、（ｂ）に詳しく示すように、建屋Ｂ側のガス配管Ｐに接続される一方のカプラ、つまり、建屋側カプラ３ａと、ガスコンロ１側に接続される他方のカプラ、つまり、器具側カプラ３ｂを備え、建屋側カプラ３ａとガス栓２が一体化された構成とされている。
【００１７】
ガス栓２は、開閉用操作部４とそれに連動する弁体５を備え、さらに、ガス配管Ｐが接続される入口開口６と出口通路７を備え、開閉用操作部４の回動操作に伴って弁体５が回動し、ガス配管Ｐからのガスが出口通路７へ通流する開弁状態とガスの通流を停止する閉弁状態とに切り換え可能に構成されている。
そのガス栓２と一体化された建屋側カプラ３ａは、いわゆる雌型のカプラで、器具側カプラ３ｂが挿入される接続用開口８を備え、安全弁用スプリング９によって閉弁方向に付勢された安全弁１０が内装されている。その安全弁１０の外周部には、パッキンホルダ用スプリング１１により接続用開口８側に付勢されたパッキンホルダ１２が外嵌され、さらに、その外周部には、スリーブスプリング１３により接続用開口８側に付勢された解除操作部としてのスリーブ１４が外嵌されている。
【００１８】
解除操作部としてのスリーブ１４は、建屋側カプラ３ａと器具側カプラ３ｂが接続された状態において、両カプラ３ａ，３ｂの接続を解除するためのもので、建屋側カプラ３ａの軸心方向に沿って移動自在に構成され、図２の（ａ）に示すように、両カプラ３ａ，３ｂが分離された状態でボール１５に係合している。
他方、器具側カプラ３ｂは、いわゆる雄型のカプラで、ガスコンロ１に接続される出口開口１６を備え、さらに、安全弁１０に当接して安全弁１０を開弁操作する安全弁用段部１７、パッキンホルダ１２に当接してパッキンホルダ１２を押し込み操作するパッキンホルダ用段部１８、ボール１５が嵌入するボール用溝１９などを備えている。
【００１９】
建屋側カプラ３ａと器具側カプラ３ｂとの接続は、いわゆるワンタッチ式で、建屋側カプラ３ａの接続用開口８に器具側カプラ３ｂを挿入するだけで自動的に接続される。
すなわち、建屋側カプラ３ａの接続用開口８に器具側カプラ３ｂを挿入すると、図２の（ｂ）に示すように、器具側カプラ３ｂの安全弁用段部１７が、安全弁用スプリング９の付勢力に抗して安全弁１０を押し込み操作して開弁し、同時に、パッキンホルダ用段部１８が、パッキンホルダ用スプリング１１の付勢力に抗してパッキンホルダ１２を押し込み操作する。
パッキンホルダ１２の押し込みに伴って、ボール１５に対するスリーブ１４の係合が外れて、スリーブ１４がスリーブスプリング１３の付勢力によりストップリング２０に当接するとともに、ボール１５が器具側カプラ３ｂのボール用溝１９に嵌入して、両カプラ３ａ，３ｂが接続され、かつ、その接続状態が維持される。
【００２０】
つぎに、このワンタッチ式カプラ３を使用して、建屋Ｂ側に配設されたガス配管Ｐにビルトインタイプのガスコンロ１を接続する手順について説明する。ただし、以下に説明する手順は単なる一例であるため、実際の実施に際しては、手順の一部が相前後することもあり得る。
まず、ガス工事の専門家が、図３の（ａ）に示すように、建屋側カプラ３ａと一体化されたガス栓２の入口開口６に建屋Ｂの壁面や床面から延出している可撓性のガス配管Ｐを接続し、かつ、必要なガス停止処置を行ってガス工事を終了する。
その後、図３の（ｂ）に示すように、例えば、大工の専門家が台所用家具Ｆを設置し、さらに、台所用家具Ｆにガスコンロ１を組み込む。図示の例では、ガスコンロ１の下面に器具側カプラ３ｂが配置されており、この器具側カプラ３ｂは、ガスコンロ１の設置時に予め取り付けられている。
【００２１】
したがって、台所用家具Ｆにガスコンロ１を組み込んだ後においては、図３の（ｃ）に示すように、建屋側カプラ３ａと器具側カプラ３ｂを接続すればよく、必ずしもガス工事の専門家が接続作業を行う必要はない。
そして、建屋側カプラ３ａと器具側カプラ３ｂを接続した状態では、スリーブ１４をガス栓２側へ押し込み操作してボール１５に対する係合を解除しない限り、建屋側カプラ３ａと器具側カプラ３ｂの接続が解除されることはないので、両カプラ３ａ，３ｂが不測に外れる可能性は少ない。その上、図２の（ｂ）において仮想性で示すように、スリーブ１４の押し込み操作を規制する環状のストッパ２１が、建屋側カプラ３ａに外嵌されているので、両カプラ３ａ，３ｂが不測に外れる可能性は更に少なくなる。また、たとえ両カプラ３ａ，３ｂが不測に外れたとしても、安全弁用スプリング９の付勢力によって安全弁１０が自動的に閉弁され、ガス配管Ｐからのガスの流出は阻止されることになる。
【００２２】
〔別実施形態〕
つぎに、別の実施形態について説明するが、先の実施形態で説明した構成部品や同じ作用を有する構成部品については、重複説明を避けるため、同じ符号を付すことにより説明を省略する。
【００２３】
（１）先の実施形態では、ガス栓２がワンタッチ式カプラ３の建屋側カプラ３ａと一体化された構成のものを示したが、図４に示すように、ガス栓２と建屋側カプラ３ａとが別体に構成されたものを使用して実施することもできる。
その場合には、建屋Ｂの壁面内に配管されたガス配管Ｐにガス栓２の入口開口６を接続し、ガス栓２の出口通路７に可撓性のガス配管Ｐを接続し、その可撓性のガス配管Ｐの先端にワンタッチ式カプラ３の建屋側カプラ３ａを接続することになる。
【００２４】
（２）これまでの実施形態では、ガスコンロ１の下面に器具側カプラ３ｂを配置した例を示したが、図５に示すように、ガスコンロ１の背面に器具側カプラ３ｂを配置して実施することもできる。
その場合には、建屋Ｂの壁面内に配管されたガス配管Ｐにガス栓２と建屋側カプラ３ａとが一体化されたものを使用し、かつ、建屋側カプラ３ａと器具側カプラ３ｂが同じ高さレベルになるように設定することにより、図５の（ａ）に示すように、ガスコンロ１を建屋Ｂの壁面側に押し込むことによって、図５の（ｂ）に示すように、建屋側カプラ３ａと器具側カプラ３ｂをワンタッチで接続することができるので、両カプラ３ａ，３ｂの接続作業を簡単に行うことができる。
もちろん、ガスコンロ１の背面に器具側カプラ３ｂを配置した場合においても、図３および図４を用いて説明した接続方法が適用可能であることはいうまでもない。
【００２５】
（３）これまでの実施形態では、建屋側カプラ３ａに安全弁１０を内装して、建屋側カプラ３ａと器具側カプラ３ｂとの接続が解除された際に、ガス配管Ｐからのガスの流出を阻止するように構成した例を示したが、安全弁１０に代えて、ガス栓２に従来公知の過流出防止弁を設けて、ガス配管Ｐからのガスの流出を阻止するように構成することもできる。
また、ガス器具１の一例としてガスコンロを例示して説明したが、ガス器具１としては、特にガスコンロに限るものではなく、ガスコンロ以外の各種のガス器具にも適用可能であり、さらに、都市ガス用のガス器具はもとより、プロパン用のガス器具にも適用可能である。
【図面の簡単な説明】
【００２６】
【図１】ガス器具の接続部構造を示す一部切欠き側面図
【図２】ガス栓とワンタッチ式カプラを示す断面図
【図３】ガス器具の接続手順を示す説明図
【図４】別の実施形態によるガス器具の接続部構造を示す一部切欠き側面図
【図５】別の実施形態によるガス器具の接続部構造を示す一部切欠き側面図
【符号の説明】
【００２７】
１      ガス器具
２      ガス栓
３      ワンタッチ式カプラ
３ａ    建屋側カプラ
３ｂ    器具側カプラ
１０    安全弁
１４    解除操作部
２１    ストッパ
Ｂ      建屋
Ｐ      ガス配管
【図１】
2008045605.tif 000003
【図２】
2008045605.tif 000004
【図３】
2008045605.tif 000005
【図４】
2008045605.tif 000006
【図５】
2008045605.tif 000007